(57)【要約】  選手の少なくとも一部分を保護するための選手保護デバイス。この保護デバイスは、選手の身体部位の少なくとも一部分を保護するように構成された保護表面を備える。保護デバイスは、保護表面に取り外し可能に取り付けられるように構成されたシールドインサートも備える。保護表面は、シールドインサートを受け入れ、シールドインサートをその上に保持するように構成される。【特許請求の範囲】
【請求項１】
選手の少なくとも一部分を保護するための選手保護デバイスであって、
前記選手の身体部位の少なくとも一部分を保護するように構成された保護表面と、
前記保護表面に取り外し可能に取り付けられるように構成されたシールドインサートであって、前記保護表面が、シールドインサートを受け入れ、シールドインサートをその上に保持するように構成される、シールドインサートと
を備える。
【請求項２】
請求項１に記載の選手保護デバイスであって、前記シールドインサートは、ツールの使用なしに取り外し可能に取り付けられる／外されるように構成される。
【請求項３】
請求項１に記載の選手保護デバイスであって、前記シールドインサートは、前記シールドインサートの周囲に沿って、少なくとも１つのタブを備え、
前記保護表面は、前記少なくとも１つのタブを受け入れるように構成された少なくとも１つの受容部をその中に形成している。
【請求項４】
請求項３に記載の選手保護デバイスであって、前記保護表面は、少なくとも４つの受容部を備える。
【請求項５】
請求項３に記載の選手保護デバイスであって、前記シールドインサートは、少なくとも４つのタブを備える。
【請求項６】
請求項１に記載の選手保護デバイスであって、前記シールドインサートは、少なくとも１つの弾性的に変形可能なタブを備え、
前記保護表面は、前記少なくとも１つの弾性的に変形可能なタブを受け入れるように構成された少なくとも１つの開口をその中に形成している。
【請求項７】
請求項６に記載の選手保護デバイスであって、前記少なくとも１つの弾性的に変形可能なタブは、２つの直線的に離隔された、対向する、弾性的に変形可能なタブであり、
前記保護表面の前記開口への前記２つの直線的に離隔された、対向する、弾性的に変形可能なタブの挿入中に、前記弾性的に変形可能なタブは、前記保護表面内に形成された前記開口の縁との接触によって互いの方へ付勢される。
【請求項８】
請求項１に記載の選手保護デバイスであって、前記シールドインサートは、
前記シールドインサートの周囲に沿った少なくとも１つのタブと、
前記シールドインサートの周囲に沿った少なくとも１つの弾性的に変形可能なタブと
を備え、
前記保護表面は、
前記少なくとも１つのタブを受け入れるように構成された少なくとも１つの受容部
をその中に形成しており、
前記少なくとも１つの弾性的に変形可能なタブを受け入れるように構成された少なくとも１つの開口をその中に形成している。
【請求項９】
請求項８に記載の選手保護デバイスであって、前記シールドインサートは、少なくとも４つのタブと、少なくとも２つの弾性的に変形可能なタブとを備える。
【請求項１０】
請求項１に記載の選手保護デバイスであって、前記保護表面は、足ガード、脛ガード、または肘ガードのうちの少なくとも１つである。
【請求項１１】
請求項１に記載の選手保護デバイスであって、前記選手の身体部位の少なくとも別の部分を保護するように構成された二次保護表面であって、前記保護表面に着脱可能に固締された二次保護表面と、
前記二次保護表面に取り外し可能に取り付けられるように構成された二次シールドインサートであって、前記二次保護表面は、二次シールドインサートを受け入れ、二次シールドインサートをその上に保持するように構成される、二次シールドインサートと
をさらに備える。
【請求項１２】
請求項１１に記載の選手保護デバイスであって、前記シールドインサートは、前記シールドインサートの周囲に沿って、少なくとも１つのタブを備え、
前記二次シールドインサートは、前記二次シールドインサートの周囲に沿って、少なくとも１つの弾性的に変形可能なタブを備える。
【請求項１３】
請求項１２に記載の選手保護デバイスであって、タブの数は、弾性的に変形可能なタブの数と異なる。
【請求項１４】
請求項４に記載の選手保護デバイスであって、前記保護表面は、４つの受容部を備え、前記４つの受容部は、前記保護表面の対向する周囲縁に沿って、受容部の２つの対向するペアとして配置されている。
【請求項１５】
請求項５に記載の選手保護デバイスであって、前記シールドインサートは、４つのタブを備え、前記４つのタブは、前記シールドインサートの対向する周囲縁に沿って、タブの２つの対向するペアとして配置されている。
【請求項１６】
請求項１に記載の選手保護デバイスであって、前記保護表面は、断面が実質的にＵ字形である。
【請求項１７】
請求項１に記載の選手保護デバイスであって、前記保護表面は、断面が実質的に湾曲している。
【請求項１８】
選手保護デバイスのためのシールドインサートであって、シールドインサートは本体を有し、前記本体は、
前記本体の周囲に沿って、互いに対向して配置されているタブの少なくとも１つのペアと、
本体の周囲に沿って前記タブの少なくとも１つのペアと直角をなして配置されている少なくとも１つの補助タブと
を備える。
【請求項１９】
請求項１８に記載のシールドインサートであって、前記タブの少なくとも１つのペアは、タブの３つのペアであり、
前記少なくとも１つの補助タブは、少なくとも２つのタブである。
【請求項２０】
選手保護デバイスを使用する方法であって、前記選手保護デバイスは、選手の身体部位の少なくとも一部分を保護するように構成された保護表面と、前記保護表面に取り外し可能に取り付けられているシールドインサートであって、前記保護表面は、シールドインサートを受け入れ、シールドインサートをその上に保持するように構成される、シールドインサートとを備え、方法は、
前記保護表面から前記シールドインサートを取り外すことと、
前記保護表面上に別のシールドインサートを設置することと
を含む。
【発明の詳細な説明】
【背景技術】
【０００１】
［優先権主張および相互参照］
本出願は、対応して２０１６年１２月２日および２０１７年２月９日に出願された、参照によりその全体が本明細書に組み込まれる、前の米国仮特許出願第６２／４２９，３１８号および第６２／４５６，７９５号に対する優先権を主張するものである。
【０００２】
多くのスポーツにおける選手は、試合をする間の負傷を最小にするまたはこれを防止するために、保護デバイスを身に着ける。選手保護デバイスは、多くの形状および形式をとり、選手の解剖学的構造の異なる部位を保護する。頭部、背中、胸部、肘、脛、手首、足、および人体の他の部位のための保護デバイスがある。
【０００３】
選手は、保護デバイスのための異なる色および／またはパターンの選択肢を有することがある。特定の保護デバイスの色および／またはパターンは、生産のときに決定され、選手は、それから選定するべき色および／またはパターンの限られた選択を有する。
【０００４】
多くの事例では、選手は、同じチームの他の選手と一致するまたは類似するために、特定の色および／またはパターンをもつ保護デバイスを購入する。たとえば、特定の野球チームのすべての選手が、共通したチームイメージを与えるために、同じ色の脛ガード、足ガード、および肘ガードを購入することに同意する。特定の保護デバイスを購入した後、選手が、たとえば、チームの変更により、特定の色またはデザインを変更する必要がある場合、選手は、新しい特定の色またはデザインを有する別の保護デバイスを購入しなければならない。これは、選手にとっての支出を増加させる。
【０００５】
加えて、他のシナリオでは、特定の選手は、複数のチームのために、または複数のスポーツで、プレーすることに関与し、異なるチームまたはスポーツに同じ保護デバイスを再使用することを望む。このケースでは、色またはデザインが、異なるチームまたはスポーツの色に一致しない限り、選手は、１つまたは複数の追加の保護デバイスを購入しなければならない。これも、選手にとっての支出を増加させる。
【０００６】
さらに依然として、流行は経時的に変化し、色、パターン、および／またはデザインは、好みになり、好みではなくなる。選手のコストは、流行の変化ごとに新しい保護デバイスを購入しなければならないことによって増加する。
【０００７】
本開示の態様は、添付の図を併せ読むとき、以下の詳細な説明から最も良く理解される。当業界における標準的な慣例によれば、さまざまな特徴は、一定の比例に応じて描かれないことが留意される。実際、さまざまな特徴の寸法は、説明の明快さのために、恣意的に増加または減少されることがある。
【図面の簡単な説明】
【０００８】
【図１】いくつかの実施形態による、脛ガードおよび足ガードの斜視図である。
【０００９】
【図２】いくつかの実施形態による、図１の脛ガードおよび足ガードの左背面斜視図である。
【００１０】
【図３】いくつかの実施形態による、図１の脛ガードおよび足ガードの背面斜視図である。
【００１１】
【図４】いくつかの実施形態による、脛ガードの斜視図である。
【００１２】
【図５】いくつかの実施形態による、脛ガードの背面斜視図である。
【００１３】
【図６】いくつかの実施形態による、脛ガードの正面平面図である。
【００１４】
【図７】いくつかの実施形態による、脛ガードの背面平面図である。
【００１５】
【図８】いくつかの実施形態による、脛ガードの側面平面図である。
【００１６】
【図９】いくつかの実施形態による、脛ガードの断面図である。
【００１７】
【図１０】いくつかの実施形態による、脛ガードの保持器部分の詳細断面図である。
【００１８】
【図１１】いくつかの実施形態による、脛ガードのシールド保持器部分の詳細断面図である。
【００１９】
【図１２】いくつかの実施形態による、脛ガードのためのシールドインサートの平面図である。
【００２０】
【図１３】いくつかの実施形態による、脛ガードのためのシールドインサートの側面平面図である。
【００２１】
【図１４】いくつかの実施形態による、足ガードの斜視図である。
【００２２】
【図１５】いくつかの実施形態による、足ガードの背面斜視図である。
【００２３】
【図１６】いくつかの実施形態による、足ガードの正面平面図である。
【００２４】
【図１７】いくつかの実施形態による、足ガードの側面平面図である。
【００２５】
【図１８】いくつかの実施形態による、足ガードの断面図である。
【００２６】
【図１９】いくつかの実施形態による、足ガードのシールド保持器部分の詳細断面図である。
【００２７】
【図２０】いくつかの実施形態による、足ガードのためのシールドインサートの平面図である。
【００２８】
【図２１】いくつかの実施形態による、足ガードのためのシールドインサートの側面平面図である。
【００２９】
【図２２】いくつかの実施形態による、肘ガードの斜視図である。
【００３０】
【図２３】いくつかの実施形態による、肘ガードの左背面斜視図である。
【００３１】
【図２４】いくつかの実施形態による、肘ガードの正面平面図である。
【００３２】
【図２５】いくつかの実施形態による、肘ガードの背面平面図である。
【００３３】
【図２６】いくつかの実施形態による、肘ガードの右側面平面図である。
【００３４】
【図２７】いくつかの実施形態による、肘ガードの断面図である。
【００３５】
【図２８】いくつかの実施形態による、肘ガードのシールド保持器部分の詳細断面図である。
【００３６】
【図２９】いくつかの実施形態による、肘ガードの保持器部分の詳細断面図である。
【００３７】
【図３０】いくつかの実施形態による、肘ガードのためのシールドインサートの平面図である。
【００３８】
【図３１】いくつかの実施形態による、肘ガードのためのシールドインサートの側面平面図である。
【００３９】
【図３２】実施形態による、足ガードのための別のシールドインサートおよび脛ガードのための別のシールドインサートの平面図である。
【発明を実施するための形態】
【００４０】
以下の開示は、提供される主題の異なる特徴を実施するための多くの異なる実施形態、すなわち例を提供する。構成要素、値、動作、材料、配置などの具体例が、本開示を単純化するために以下で説明される。これらは、もちろん、例にすぎず、限定することを意図するものではない。他の構成要素、値、動作、材料、配置などが企図される。たとえば、続く説明における第２の特徴の上方またはこの上での第１の特徴の形成は、第１の特徴および第２の特徴が直接的に接触して形成される実施形態を含んでよく、第１の特徴と第２の特徴との間に追加の特徴が形成されることがあり、したがって、第１の特徴と第２の特徴が直接的に接触しないことがある実施形態も含んでよい。加えて、本開示は、さまざまな例において参照番号および／または文字を繰り返すことがある。この繰り返しは、簡単さおよび明快さを目的としたものであり、それ自体は、説明されるさまざまな実施形態および／または構成間の関係を定めない。
【００４１】
さらに、「下方に」、「下に」、「下部」、「上に」、「上部」などの空間的に相対的な用語は、本明細書において、図に示されるような１つの要素または特徴の別の要素または特徴に対する関係について説明するために説明の容易さのために使用されることがある。空間的に相対的な用語は、図に示される方位に加えて、使用または動作中のデバイスの異なる方位を包含することを意図している。装置は、他の方法で方位づけられ（９０度または他の方位に回転され）てよく、本明細書において使用される空間的に相対的な記述語も、同様に、それに応じて解釈されてよい。
【００４２】
図１は、いくつかの実施形態による、脛ガード１０２と足ガード１０４とを備える選手保護デバイス１００の斜視図である。選手保護デバイス１００は、選手の少なくとも一部分を保護することを目的とする。少なくともいくつかの実施形態では、選手保護デバイスは、脛、足、肘、膝、腕、脚、大腿部、または他の類似の身体部位を保護する。少なくともいくつかの実施形態では、選手保護デバイス１００は、脛ガード１０２と、足ガード１０４の両方を備える。少なくともいくつかの実施形態では、選手保護デバイス１００は、脛ガード１０２または足ガード１０４のどちらかのうちの一方を備える。
【００４３】
脛ガード１０２は、選手の身体部位の少なくとも一部分、すなわち、脛を保護するように構成された保護表面（protective surface）１０６を備える。脛ガード１０２は、保護表面１０６に取り外し可能に取り付けられるように構成されたシールドインサート（shield insert）１０８も備える。保護表面１０６は、シールドインサート１０８を受け入れ、シールドインサート１０８をその上に保持（retain）するように構成される。シールドインサート１０８は、ツールの使用なしに取り外し可能に取り付けられる／外されるように構成される。
【００４４】
同様に、足ガード１０４も、保護表面１１０（二次的保護表面（secondary protective surface）とも呼ばれる）と、シールドインサート１１２（二次的シールドインサート（secondary shield insert）とも呼ばれる）とを備える。少なくとも図１の実施形態では、足ガード１０４は、脛ガード１０２と取り外し可能に取り付けられる。シールドインサート１１２も、ツールの使用なしに取り外し可能に取り付けられる／外されるように構成される。
【００４５】
脛ガード１０２に戻ると、シールドインサート１０８は、シールドインサートの周囲に沿って、いくつかのタブ（tab）を備える。具体的には、シールドインサート１０８は、シールドインサートの両側に２つのペアとして配置された４つのタブを備える。４つのタブのうちの２つ１１４ａおよび１１４ｂ（総称して、タブ１１４と呼ばれる）が、図１に示されている。タブ１１４ａおよび１１４ｂは、図２において最も良く見える。２つの追加のタブが、シールドインサート１０８の周囲の対向する縁に配設されている。少なくともいくつかの実施形態では、シールドインサート１０８は、周囲に沿って、より大きなまたはより小さな数のタブを備える。少なくともいくつかの実施形態では、シールドインサート１０８は、シールドインサートの周囲に沿って、少なくとも１つのタブを備える。
【００４６】
少なくともいくつかの実施形態では、シールドインサート１０８は４つのタブを備え、この４つのタブは、シールドインサートの対向する周囲縁に沿って、タブの２つの対向するペアとして配置される。少なくともいくつかの実施形態では、シールドインサート１０８の４つのタブのうちの少なくとも２つは、シールドインサートの周囲縁に沿って直線的な様式で離間される。
【００４７】
少なくともいくつかの実施形態では、シールドインサート１０８のタブは、シールドインサートの表面と平行に延びる、シールドインサート１０８の平面状の拡張部である。
【００４８】
保護表面１０６は、保護表面の周囲に沿って、いくつかの受容部（receptacle）を備える。受容部の各々は、タブをシールドインサート１０８から受け入れるように構成される。少なくともいくつかの実施形態では、各受容部は、保護表面１０６の一部分の中に形成されたスロットである。少なくともいくつかの実施形態では、各受容部は、保護表面１０６の周囲縁の隆起した部分内に形成されたスロットである。具体的には、保護表面１０６は、保護表面の両側に２つのペアとして配置された２つの受容部を備える。４つの受容部のうちの２つ１１６ａおよび１１６ｂ（総称して、受容部１１６と呼ばれる）が、図１に示されている。受容部１１６ａおよび１１６ｂは、図２において最も良く見える。２つの追加の受容部が、保護表面１０６の周囲の対向する縁に配設されている。少なくともいくつかの実施形態では、保護表面１０６は、周囲に沿って、より大きなまたはより小さな数のタブを備える。少なくともいくつかの実施形態では、保護表面１０６は、保護表面の周囲に沿って、少なくとも１つの受容部を備える。
【００４９】
少なくともいくつかの実施形態では、保護表面１０６は４つの受容部１１６を備え、この４つの受容部は、保護表面の対向する周囲縁に沿って、受容部の２つの対向するペアとして配置される。少なくともいくつかの実施形態では、保護表面１０６の４つの受容部のうちの少なくとも２つは、保護表面の周囲縁に沿って直線的な様式で離間される。
【００５０】
少なくともいくつかの実施形態では、シールドインサート１０８上のタブ１１４は、異なるサイズおよび／または形状を有する。同様に、保護表面１０６上の対応する受容部１１６も、異なるサイズおよび／または形状を有する。
【００５１】
シールドインサート１０８は、少なくとも１つの弾性的に変形可能なタブ１１８も備える。少なくとも１つの実施形態では、シールドインサート１０８は、少なくとも２つの弾性的に変形可能なタブ１１８を備える。２つの変形可能なタブ１１８を有する一実施形態では、２つの変形可能なタブは、シールドインサート１０８の両縁に位置決めされる。少なくともいくつかの実施形態では、シールドインサート１０８は、弾性的に変形可能なタブ１１８を２つよりも多く備える。弾性的に変形可能なタブ１１８は、２つの直線的に離隔された、対向する、弾性的に変形可能なタブ部分から構成される。少なくとも１つの実施形態では、弾性的に変形可能なタブ１１８は、単一の弾性的に変形可能なタブ部分から構成される。弾性的に変形可能なタブ１１８は、シールドインサート１０８の表面に平行な平面内で変形可能である。
【００５２】
保護表面１０６は、保護表面の周囲に沿って少なくとも１つの開口１２０を備える。開口１２０は、シールドインサート１０８から変形可能なタブ１１８を受け入れ、変形可能なタブ１１８を保持するように構成される。少なくともいくつかの実施形態では、開口１２０は２つの開口を備え、そのうちの各１つは、弾性的に変形可能なタブ部分のうちの１つと位置合わせされる。
【００５３】
変形可能なタブ１１８は、開口１２０への変形可能なタブ１１８の挿入中に、弾性的に変形可能なタブ部分が、保護表面１０６内に形成された開口の縁との接触によって互いの方へ付勢されるように構成される。ユーザが保護表面１０６上にシールドインサート１０８を設置することは、シールドインサートを設置するために、タブ１１４ａ／ｂを受容部１１６ａ／ｂへと挿入し、変形可能なタブ１１８を開口１２０へとガイドすることのみを必要とする。シールドインサート１０８を取り外すために、プロセスが逆転される、すなわち、変形可能なタブ１１８の一部分が、互いの方へ押され、開口１２０から取り外され、タブ１１４ａ／ｂが、受容部１１６ａ／ｂから取り外される。
【００５４】
変形可能なタブ１１８を有さない一実施形態によれば、保護表面１０６上へのシールドインサート１０８の設置は、受容部１１６ａ／ｂへのタブ１１４ａ／ｂの挿入のみを必要とする。保護表面１０６からシールドインサート１０８を取り外すために、プロセスが逆転され、タブ１１４ａ／ｂは、受容部１１６ａ／ｂから取り外される。タブ１１４ａ／ｂおよび受容部１１６ａ／ｂを欠いている一実施形態によれば、保護表面１０６上へのシールドインサート１０８の設置は、開口１２０への変形可能なタブ１１８の挿入のみを必要とする。
【００５５】
少なくとも１つの実施形態では、脛ガード１０２は、シールドインサートの周囲に沿った少なくとも１つのタブとシールドインサートの周囲に沿った少なくとも１つの弾性的に変形可能なタブとを有するシールドインサート１０８も備える。この実施形態では、保護表面１０６には、シールドインサート１０８の少なくとも１つのタブを受け入れるように構成された少なくとも１つの受容部が形成されており、さらには、少なくとも１つの弾性的に変形可能なタブを受け入れるように構成された少なくとも１つの開口も形成されている。
【００５６】
少なくとも１つの実施形態では、シールドインサート１０８は、少なくとも４つのタブ１１４と、少なくとも２つの弾性的に変形可能なタブ１１８とを備える。
【００５７】
１つまたは複数の実施形態では、保護表面１０６は、足ガード、脛ガード、膝ガード、肘ガード、または身体部位のための他の類似の保護物のうちの少なくとも１つである。少なくとも１つの実施形態では、保護表面１０６は、断面が実質的にＵ字形である。少なくとも別の実施形態では、保護表面１０６は、断面が実質的に湾曲している。１つまたは複数の実施形態では、保護表面１０６は、身体部位の外側形状に一致するために湾曲している。少なくとも１つの実施形態では、保護表面１０６は、保護表面の背部に取り付けられ、選手の身体部位と接触するように配置された詰め物材料を備える。少なくとも１つの実施形態では、保護表面１０６は、詰め物材料を、保護表面の一体化された部分として含む。
【００５８】
少なくとも１つの実施形態では、シールドインサート１０８は、略平面状であり、弾性的に、可撓性の材料から作製される。少なくとも１つの実施形態では、シールドインサート１０８は、対応する受容部１１６および開口１２０へのタブ１１４および変形可能なタブ１１８の挿入のために撓曲される。シールドインサート１０８は弾性的であるので、シールドインサートは、平面状状態に戻るために撓曲し、保護表面上の所定の位置にシールドインサートをさらに保持するために、タブ１１４および１１８において受容部１１６および開口１２０に対して圧力を加える。
【００５９】
足ガード１０４に戻ると、脛ガード１０２と同様に、シールドインサート１１２は、変形可能なタブ１２２を備える。変形可能なタブ１２２は、変形可能なタブ１１８に類似している。足ガード１０４の保護表面１１０は、変形可能なタブ１２２をその中に受け入れ保持するための開口１２４を備える。開口１２４は、開口１２０に類似している。
【００６０】
図１の実施形態では、保護的デバイス１００は、選手の身体部位の少なくとも別の部分たとえば足を保護するように構成された二次保護表面１１０を備える。二次保護表面１１０は、保護表面１０６に着脱可能に固締される。たとえば、ストラップまたはループは、保護表面１０６と１１０を互いに接続するために使用可能である。少なくとも１つの実施形態では、二次保護表面１１０に取り付けられたクリップは、２つの保護表面を一緒に接合するために使用される。少なくとも１つの実施形態では、二次保護表面１１０は、保護表面１０６に永続的に固定される。
【００６１】
二次シールドインサート１１２は、シールドインサート１０８および保護表面１０６と同様に、二次保護表面１１０に取り外し可能に取り付けられるように構成される。二次保護表面１１０は、二次シールドインサート１１２を受け入れ、二次シールドインサートをその上に保持するように構成される。少なくとも１つの実施形態では、二次シールドインサート１１２は、二次保護表面１１０上での保持のための弾性的に変形可能なタブ１２２のみを備える。少なくとも１つの実施形態では、二次シールドインサート１１２は、二次保護表面１１０上での保持のための変形可能なタブ１１８に類似したタブのみを備える。
【００６２】
少なくともいくつかの実施形態では、保護表面１０６および１１０は、シールドインサート１０８および１１２に対向する保護表面の裏面上に詰め物材料をさらに備える。少なくとも１つの実施形態では、保護表面１０６および１１０は、詰め物材料を、保護表面の一体化された部分として含む。
【００６３】
シールドインサート１１２の設置および保護表面１１０からの取り外しは、シールドインサート１０８および保護表面１０６のためのプロセスに類似している。
【００６４】
脛ガード１０２は、保護表面の周囲に沿って２つ以上の保持器開口（retainer opening）も備える。保持器開口は、選手の身体部位上で脛ガード１０２を保持するために使用される。図１の実施形態では、保持器開口１２６ａおよび１２６ｂのペア（総称して、保持器開口１２６と呼ばれる）は、保護表面１０６の一方の側に位置決めされ、保持器開口の別のペア（図示せず）は、保護表面の対向する側に位置決めされる。保持器開口１２６は、脛ガード１０２の周囲縁に沿って離隔される。
【００６５】
少なくとも１つの実施形態では、ストラップは、脛ガード１０２の両側にある２つの保持器開口の間で接続する。少なくとも１つの実施形態では、ストラップは弾性材料である。少なくとも１つの実施形態では、ストラップの一端は、脛ガード１０２の一方の側に永続的に固定され、脛ガード１０２の対向する側にある保持器開口と解放可能に取り付けられる。少なくとも１つの実施形態では、ストラップの各端は、脛ガード１０２の対向する側に解放可能に接続される。使用に際して、ストラップは、選手の身体部位の後ろで、脛ガード１０２の一方の側から他方の側に接続する。少なくともいくつかの実施形態では、少なくとも２つのストラップがある。少なくともいくつかの実施形態では、より大きな数のストラップおよび保持開口１２６がある。
【００６６】
図２は、いくつかの実施形態による、図１の脛ガードおよび足ガードの左背面斜視図である。
【００６７】
図３は、いくつかの実施形態による、図１の脛ガードおよび足ガードの背面斜視図である。
【００６８】
図４は、いくつかの実施形態による、脛ガード４０２の斜視図である。脛ガード４０２は、脛ガード１０２に類似している。脛ガード４０２は、保護表面１０６に類似した保護表面４０６を備える。脛ガード４０２は、脛ガード４０２が変形可能なタブ１１８を欠いているという点で、脛ガード１０２と異なる。脛ガード１０２と同様に、脛ガード４０２は、脛ガード４０２の一方の側に、受容部４１６ａおよび４１６ｂ（総称して、受容部４１６と呼ばれる）のペアを備える。受容部４１６の別のペアは、受容部４１６ａおよび４１６ｂから脛ガード４０２の対向する側に配設される。少なくともいくつかの実施形態では、受容部４１６は、保護表面４０６の周囲の縁内に形成される。
【００６９】
脛ガード４０２に戻ると、シールドインサート４０８（図４には示されていない。図１２において最も良く見える）は、シールドインサートの周囲に沿って、いくつかのタブを備える。具体的には、シールドインサート４０８は、シールドインサートの両側に２つのペアとして配置された４つのタブを備える。４つのタブのうちの２つ４１４ａおよび４１４ｂ（総称して、タブ４１４と呼ばれる）の場所が、図１に全体的に示されている。タブ４１４ａおよび４１４ｂは、図１２において最も良く見える。２つの追加のタブが、シールドインサート４０８の周囲の対向する縁に配設されている。少なくともいくつかの実施形態では、シールドインサート４０８は、周囲に沿って、より大きなまたはより小さな数のタブを備える。少なくともいくつかの実施形態では、シールドインサート４０８は、シールドインサートの周囲に沿って、少なくとも１つのタブを備える。
【００７０】
少なくともいくつかの実施形態では、シールドインサート４０８は４つのタブを備え、この４つのタブは、シールドインサートの対向する周囲縁に沿って、タブの２つの対向するペアとして配置される。少なくともいくつかの実施形態では、シールドインサート４０８の４つのタブのうちの少なくとも２つは、シールドインサートの周囲縁に沿って直線的な様式で離間される。
【００７１】
少なくともいくつかの実施形態では、シールドインサート４０８のタブは、シールドインサートの表面と平行に延びる、シールドインサート４０８の平面状の拡張部である。
【００７２】
保護表面４０６は、保護表面の周囲に沿って、いくつかの受容部を備える。受容部の各々は、タブをシールドインサート４０８から受け入れるように構成される。少なくともいくつかの実施形態では、各受容部は、保護表面４０６の一部分の中に形成されたスロットである。少なくともいくつかの実施形態では、各受容部は、保護表面４０６の周囲縁の隆起した部分内に形成されたスロットである。具体的には、保護表面４０６は、保護表面の両側に２つのペアとして配置された２つの受容部を備える。４つの受容部のうちの２つ４１６ａおよび４１６ｂ（総称して、受容部４１６と呼ばれる）が、図４に示されている。受容部４１６ａおよび４１６ｂは、図５〜図７においても確認される。２つの追加の受容部が、保護表面４０６の周囲の対向する縁に配設されている。少なくともいくつかの実施形態では、保護表面４０６は、周囲に沿って、より大きなまたはより小さな数のタブを備える。少なくともいくつかの実施形態では、保護表面４０６は、保護表面の周囲に沿って、少なくとも１つの受容部を備える。
【００７３】
少なくともいくつかの実施形態では、保護表面４０６は４つの受容部４１６を備え、この４つの受容部は、保護表面の対向する周囲縁に沿って、受容部の２つの対向するペアとして配置される。少なくともいくつかの実施形態では、保護表面４０６の４つの受容部のうちの少なくとも２つは、保護表面の周囲縁に沿って直線的な様式で離間される。
【００７４】
少なくともいくつかの実施形態では、シールドインサート４０８上のタブ４１４は、異なるサイズおよび／または形状を有する。同様に、保護表面４０６上の対応する受容部４１６も、異なるサイズおよび／または形状を有する。
【００７５】
脛ガード４０２は、保護表面の周囲に沿って２つ以上の保持器開口も備える。保持器開口は、選手の身体部位上で脛ガード４０２を保持するために使用される。図４の実施形態では、保持器開口４２６ａおよび４２６ｂのペア（総称して、保持器開口４２６と呼ばれる）は、保護表面４０６の一方の側に位置決めされ、保持器開口の別のペア（図示せず）は、保護表面の対向する側に位置決めされる。保持器開口４２６は、脛ガード４０２の周囲縁に沿って離隔される。
【００７６】
少なくとも１つの実施形態では、ストラップは、脛ガード４０２の両側にある２つの保持器開口の間で接続する。少なくとも１つの実施形態では、ストラップは弾性材料である。少なくとも１つの実施形態では、ストラップの一端は、脛ガード４０２の一方の側に永続的に固定され、脛ガード４０２の対向する側にある保持器開口と解放可能に取り付けられる。少なくとも１つの実施形態では、ストラップの各端は、脛ガード４０２の対向する側に解放可能に接続される。使用に際して、ストラップは、選手の身体部位の後ろで、脛ガード４０２の一方の側から他方の側に接続する。少なくともいくつかの実施形態では、少なくとも２つのストラップがある。少なくともいくつかの実施形態では、より大きな数のストラップおよび保持開口４２６がある。
【００７７】
加えて、脛ガード４０２は、脛ガード４０２の一方の側に、受容部４３０ａおよび４３０ｂの追加のペア（総称して、受容部４３０と呼ばれる）を備える。脛ガード４０２の一方の側にある受容部４３０のペアは、選手の脛に取り付けられるとき、脛ガードが見えるとき、垂直方向に互いから離間される。受容部４３０の別のペアは、受容部４３０ａおよび４３０ｂから脛ガード４０２の対向する側に配設される。少なくともいくつかの実施形態では、受容部４３０は、保護表面４０６の周囲の縁内に形成される。
【００７８】
受容部４３０は、受容部４１６に類似しており、類似の性質は、明快さのために、本明細書において説明されない。タブ４１４と同様に、シールドインサート４０８（図４には示されていない。図１２において最も良く見える）は、シールドインサートの周囲に沿って、いくつかの追加のタブを備える。具体的には、シールドインサート４０８は、シールドインサートの両側に２つのペアとして配置された４つの追加のタブを備える。４つのタブのうちの２つ、すなわち、タブ４３２ａおよび４３２ｂ（総称して、追加のタブ４３２と呼ばれる）の場所が、図４に全体的に示されている。タブ４３２ａおよび４３２ｂは、図１２においても確認される。２つの追加のタブが、シールドインサート４０８の周囲の対向する縁に配設されている。少なくともいくつかの実施形態では、シールドインサート４０８は、周囲に沿って、より大きなまたはより小さな数の追加のタブを備える。少なくともいくつかの実施形態では、シールドインサート４０８は、シールドインサートの周囲に沿って、少なくとも１つの追加のタブを備える。
【００７９】
少なくともいくつかの実施形態では、シールドインサート４０８は４つの追加のタブを備え、この４つの追加のタブは、シールドインサートの対向する周囲縁に沿って、追加のタブの２つの対向するペアとして配置される。少なくともいくつかの実施形態では、シールドインサート４０８の４つの追加のタブのうちの少なくとも２つは、シールドインサートの周囲縁に沿って直線的な様式で離間される。
【００８０】
少なくともいくつかの実施形態では、シールドインサート４０８の追加のタブは、シールドインサートの表面と平行に延びる、シールドインサート４０８の平面状の拡張部である。
【００８１】
保護表面４０６は、保護表面の周囲に沿って、いくつかの受容部４３０ａを備える。受容部の各々は、追加のタブ４３２をシールドインサート４０８から受け入れるように構成される。少なくともいくつかの実施形態では、各受容部４３０は、保護表面４０６の一部分の中に形成されたスロットである。少なくともいくつかの実施形態では、各受容部４３０は、保護表面４０６の周囲縁の隆起した部分内に形成されたスロットである。具体的には、保護表面４０６は、保護表面の両側に２つのペアとして配置された２つの受容部４３０を備える。４つの受容部のうちの２つ４３０ａおよび４３０ｂ（総称して、受容部４３０と呼ばれる）が、図４に示されている。受容部４３０ａおよび４３０ｂは、図５〜図７においても確認される。２つの追加の受容部が、保護表面４０６の周囲の対向する縁に配設されている。少なくともいくつかの実施形態では、保護表面４０６は、周囲に沿って、より大きなまたはより小さな数の追加のタブを備える。少なくともいくつかの実施形態では、保護表面４０６は、保護表面の周囲に沿って、少なくとも１つの受容部を備える。
【００８２】
少なくともいくつかの実施形態では、保護表面４０６は４つの受容部４３０を備え、この４つの受容部は、保護表面の対向する周囲縁に沿って、２つの対向する受容部のペアとして配置される。少なくともいくつかの実施形態では、保護表面４０６の４つの受容部のうちの少なくとも２つは、保護表面の周囲縁に沿って直線的な様式で離間される。
【００８３】
少なくともいくつかの実施形態では、シールドインサート４０８上の追加のタブ４３２は、異なるサイズおよび／または形状を有する。同様に、保護表面４０６上の対応する受容部４３０も、異なるサイズおよび／または形状を有する。
【００８４】
図５は、いくつかの実施形態による、脛ガードの左背面斜視図である。
【００８５】
図６は、いくつかの実施形態による、脛ガードの正面平面図である。
【００８６】
図７は、いくつかの実施形態による、脛ガードの背面平面図である。図７において最も良く見えるように、フックおよびループファスナ機構のループ部分７０２が、保護表面４０６の内表面上に設けられる。ループ部分７０２は、足ガードを脛ガード４０２に接続するために使用可能である。少なくとも１つの実施形態では、足ガードは、ループ部分７０２と取り付けられた対応するフック部分を有する。少なくともいくつかの実施形態では、別の取り付け機構は、足ガードを脛ガード４０２と解放可能に接続するために使用可能である。少なくともいくつかの実施形態では、ストラップおよび受け入れループが、足ガードを脛ガード４０２と接続するために使用される。少なくともいくつかの実施形態では、バックルを有するベルトループが、足ガードを脛ガード４０２と接続するために使用される。少なくともいくつかの実施形態では、スナップファスナ機構が、足ガードを脛ガード４０２と接続するために使用される。少なくともいくつかの実施形態では、足ガードは、たとえば、接着、溶接、付着、または他の類似の接続機構によって、脛ガード４０２と永続的に固定される。
【００８７】
図８は、いくつかの実施形態による、脛ガードの右側面平面図である。
【００８８】
図９は、いくつかの実施形態による、図６の断面Ｃ−Ｃ’を通る脛ガードの断面図である。断面において見えるように、脛ガード４０２は、略Ｕ字形断面を有する。
【００８９】
図１０は、いくつかの実施形態による、脛ガードのシールド保持器部分の詳細断面図である。具体的には、図１０は、追加のタブ４３２（図示せず）を受け入れ保持するための受容部４３０のペアのうちの一方に対応するスロットを示す。
【００９０】
図１１は、いくつかの実施形態による、脛ガードの保持器部分の詳細断面図である。具体的には、図１１は、脛ガード４０２を選手の脛上に保持するためのストラップまたは他の保持機構を受け入れるための保持器開口４２６のペアのうちの一方に対応するスロットを示す。
【００９１】
図１２は、いくつかの実施形態による、脛ガードのためのシールドインサート４０８の平面図である。具体的には、図１２は、シールドインサート４０８の周囲に沿って配設された、タブ４１４ａおよび４１４ｂならびに追加のタブ４３２ａおよび４３２ｂを示す。シールドインサート４０８は、脛ガード４０２への挿入前の平らな状態で示されている。示されているように、シールドインサート４０８は、シールドインサート４０８の上部部分および下部部分においてシールドインサートの中心線に沿って配設された２つの追加のタブ１２００も備える。追加のタブ１２００は、脛ガード４０２に対するシールドインサート４０８の保持および位置決めを助ける。少なくとも１つの実施形態では、追加のタブ１２００は、保護表面４０６の縁の下で摺動するのに十分遠くに、シールドインサート４０８から離れて延びる。少なくとも１つの実施形態では、シールドインサート４０８は、追加のタブ１２００を欠いている。
【００９２】
示されるように、シールドインサート４０８は、本体の周囲に沿って互いに対向して配置されたタブの少なくとも１つのペアを有する本体部分を備える。本体部分は、本体の周囲に沿ってタブの少なくとも１つのペアと直角をなして配置された少なくとも１つの補助タブ（secondary tab）も有する。少なくともいくつかの実施形態では、シールドインサート４０８は、タブの３つのペアを有し、少なくとも１つの補助タブは、少なくとも２つのタブである。
【００９３】
図１３は、いくつかの実施形態による、脛ガードのためのシールドインサートの側面平面図である。
【００９４】
図１４は、いくつかの実施形態による、足ガード１４０４の斜視図である。足ガード１４０４は、足ガード１０４（図１）に類似している。足ガード１４０４は、保護表面１０６、１１０、および４０６に類似した保護表面１４０６を備える。足ガードは、インサート足ガード１４０４が変形可能なタブ１２２を欠いているという点で、足ガード１０４と異なる。足ガード１０４と同様に、足ガード１４０４は、タブ１４２０（場所は、図１４に全体的に示されている。図２０に最も良く示されている）を受け入れ保持するための開口１４２４のペアを備える。開口１４２４は、足ガード１４０４の対向する周囲縁上に配設されている。開口１４２４は、脛ガード１０４の開口１２４に類似している。
【００９５】
足ガードは、その頂縁から保護表面１４０６の中心の方へ内側に延びる保護表面１４０６の拡張部分１４１０も備える。拡張部分１４１０は、保護表面１４０６上にシールドインサート１４１２を保持し位置決めすることを助ける。少なくともいくつかの実施形態では、拡張部分１４１０は、脛ガード４０２のループファスナと嵌合するフックファスナの取り付けのための場所を提供する。少なくともいくつかの実施形態では、足ガード１４０４の別の部分は、足ガードを脛ガードに取り付けるために使用される。足ガード１４０４はまた、追加のタブ１４３０（場所は、図１４に全体的に示されている。図２０に最も良く示されている）を受け入れ保持するための追加の開口１４１４を保護表面１４０６の底縁に備える。追加の開口１４１４は、足ガード１４０４の底部周囲縁上に配設される。追加の開口１４１４は、開口１４２４に類似している。
【００９６】
図１５は、いくつかの実施形態による、足ガード１４０４の背面斜視図である。
【００９７】
図１６は、いくつかの実施形態による、足ガードの正面平面図である。
【００９８】
図１７は、いくつかの実施形態による、足ガードの側面平面図である。
【００９９】
図１８は、いくつかの実施形態による、足ガードの断面図である。
【０１００】
図１９は、いくつかの実施形態による、足ガードのシールド保持器部分の詳細断面図である。
【０１０１】
図２０は、いくつかの実施形態による、足ガード１４０４のためのシールドインサート１４１２の平面図である。図２０が示すように、タブ１４２０のペアは、シールドインサート１４１２の対向する周囲縁配設される。少なくともいくつかの実施形態では、タブ１４２０は、より大きいまたはより小さい。少なくともいくつかの実施形態では、シールドインサート１４１２は、タブ１４２０の複数のペアを備える。少なくともいくつかの実施形態では、シールドインサート１４１２は、シールドインサートの底部周囲縁に沿って複数の追加のタブ１４３０を備える。少なくともいくつかの実施形態では、シールドインサート１４１２は、シールドインサートの頂部周囲縁に沿って追加のタブ１４３０を備える。少なくともいくつかの実施形態では、追加のタブ１４３０は、シールドインサート１４１２の垂直な中心線に沿って配設される。
【０１０２】
少なくともいくつかの実施形態では、シールドインサート１４１２は、拡張部分１４２８を欠いている。少なくともいくつかの実施形態では、シールドインサート１４１２は、追加のタブ１４３０を欠いている。
【０１０３】
図２１は、いくつかの実施形態による、足ガードのためのシールドインサートの側面平面図である。
【０１０４】
図２２は、いくつかの実施形態による、肘ガード２２０２の斜視図である。肘ガード２２０２は、脛ガード１０２および４０２に類似している。肘ガード２２０２は、選手の肘を少なくとも部分的に囲み、保護するように構成される。シールドインサート３００８（図３０）は、肘ガード２２０２の面上に嵌まり、これを覆うように構成される。シールドインサート３００８は、シールドインサート１０８、１１２、４０８、および１４１２に類似している。
【０１０５】
肘ガード２２０２は、保護表面１０６に類似した保護表面２２０６を備える。肘ガード２２０２は、肘ガード２２０２が変形可能なタブ１１８を欠いているという点で、脛ガード１０２と異なる。
【０１０６】
脛ガード１０２と同様に、肘ガード２２０２は、肘ガード２２０２の一方の側に、受容部２２１６ａおよび２２１６ｂ（総称して、受容部２２１６と呼ばれる）のペアを備える。受容部２２１６の別のペアは、受容部２２１６ａおよび２２１６ｂから肘ガード２２０２の対向する側に配設される。少なくともいくつかの実施形態では、受容部２２１６は、保護表面２２０６の周囲の縁内に形成される。
【０１０７】
肘ガード２２０２に戻ると、シールドインサート３００８（図２２には示されていない。図３０において最も良く見える）は、シールドインサートの周囲に沿って、いくつかのタブを備える。具体的には、シールドインサート３００８は、シールドインサートの両側に２つのペアとして配置された４つのタブを備える。４つのタブのうちの２つ３０１４ａおよび３０１４ｂ（総称して、タブ３０１４と呼ばれる）の場所が、図２２に全体的に示されている。タブ３０１４ａおよび３０１４ｂは、図３０において最も良く見える。２つの追加のタブが、シールドインサート３００８の周囲の対向する縁に配設されている。少なくともいくつかの実施形態では、シールドインサート３００８は、周囲に沿って、より大きなまたはより小さな数のタブを備える。少なくともいくつかの実施形態では、シールドインサート３００８は、シールドインサートの周囲に沿って、少なくとも１つのタブを備える。
【０１０８】
少なくともいくつかの実施形態では、シールドインサート３００８は４つのタブを備え、この４つのタブは、シールドインサートの対向する周囲縁に沿って、タブの２つの対向するペアとして配置される。少なくともいくつかの実施形態では、シールドインサート３００８の４つのタブのうちの少なくとも２つは、シールドインサートの周囲縁に沿って直線的な様式で離間される。
【０１０９】
少なくともいくつかの実施形態では、シールドインサート３００８のタブは、シールドインサートの表面と平行に延びる、シールドインサート３００８の平面状の拡張部である。
【０１１０】
保護表面２２０６は、保護表面の周囲に沿って、いくつかの受容部を備える。受容部の各々は、タブをシールドインサート３００８から受け入れるように構成される。少なくともいくつかの実施形態では、各受容部は、保護表面２２０６の一部分の中に形成されたスロットである。少なくともいくつかの実施形態では、各受容部は、保護表面２２０６の周囲縁の隆起した部分内に形成されたスロットである。具体的には、保護表面２２０６は、保護表面の両側に２つのペアとして配置された２つの受容部を備える。４つの受容部のうちの２つ２２１６ａおよび２２１６ｂ（総称して、受容部２２１６と呼ばれる）が、図２２に示されている。受容部２２１６ａおよび２２１６ｂは、図２３〜図２５においても確認される。２つの追加の受容部が、保護表面２２０６の周囲の対向する縁に配設されている。少なくともいくつかの実施形態では、保護表面２２０６は、周囲に沿って、より大きなまたはより小さな数のタブを備える。少なくともいくつかの実施形態では、保護表面２２０６は、保護表面の周囲に沿って、少なくとも１つの受容部を備える。
【０１１１】
少なくともいくつかの実施形態では、保護表面２２０６は４つの受容部２２１６を備え、この４つの受容部は、保護表面の対向する周囲縁に沿って、２つの対向する受容部のペアとして配置される。少なくともいくつかの実施形態では、保護表面２２０６の４つの受容部のうちの少なくとも２つは、保護表面の周囲縁に沿って直線的な様式で離間される。
【０１１２】
少なくともいくつかの実施形態では、シールドインサート２２０８上のタブ３０１４は、異なるサイズおよび／または形状を有する。同様に、保護表面２２０６上の対応する受容部２２１６も、異なるサイズおよび／または形状を有する。
【０１１３】
肘ガード２２０２は、保護表面の周囲に沿って２つ以上の保持器開口も備える。保持器開口は、選手の身体部位上で肘ガード２２０２を保持するために使用される。図２２の実施形態では、保持器開口２２２６ａおよび２２２６ｂのペア（総称して、保持器開口２２２６と呼ばれる）は、保護表面２２０６の一方の側に位置決めされ、保持器開口の別のペア（図示せず）は、保護表面の対向する側に位置決めされる。保持器開口２２２６は、肘ガード２２０２の周囲縁に沿って離隔される。
【０１１４】
少なくとも１つの実施形態では、ストラップは、肘ガード２２０２の両側にある２つの保持器開口の間で接続する。少なくとも１つの実施形態では、ストラップは弾性材料である。少なくとも１つの実施形態では、ストラップの一端は、肘ガード２２０２の一方の側に永続的に固定され、肘ガード２２０２の対向する側にある保持器開口と解放可能に取り付けられる。少なくとも１つの実施形態では、ストラップの各端は、肘ガード２２０２の対向する側に解放可能に接続される。使用に際して、ストラップは、選手の身体部位の後ろで、肘ガード２２０２の一方の側から他方の側に接続する。少なくともいくつかの実施形態では、少なくとも２つのストラップがある。少なくともいくつかの実施形態では、より大きな数のストラップおよび保持開口２２２６がある。
【０１１５】
肘ガード２２０２は、その頂縁から保護表面２２０６の中心の方へ内側に延びる保護表面２２０６の拡張部分２２１０も備える。拡張部分２２１０は、保護表面３００８上にシールドインサート２２０６を保持し位置決めすることを助ける。少なくともいくつかの実施形態では、拡張部分２２１０は、シールドインサート３００８の追加のタブ３００２を受け入れるように構成された開口を備える。
【０１１６】
肘ガード２２０２はまた、追加のタブ３００２（場所は、図２２に全体的に示されている。図３０に最も良く示されている）を受け入れ保持するための追加の開口２２１４を保護表面２２０６の底縁に備える。追加の開口２２１４は、肘ガード２２０２の底部周囲縁上に配設される。追加の開口２２１４は、開口１４１４に類似している。
【０１１７】
【０１１８】
図２３は、いくつかの実施形態による、肘ガードの左背面斜視図である。
【０１１９】
図２４は、いくつかの実施形態による、肘ガードの正面平面図である。
【０１２０】
図２５は、いくつかの実施形態による、肘ガードの背面平面図である。
【０１２１】
図２６は、いくつかの実施形態による、肘ガードの右側面平面図である。
【０１２２】
図２７は、いくつかの実施形態による、肘ガードの断面図である。
【０１２３】
図２８は、いくつかの実施形態による、肘ガードのシールド保持器部分の詳細断面図である。
【０１２４】
図２９は、いくつかの実施形態による、肘ガードの保持器部分の詳細断面図である。
【０１２５】
図３０は、いくつかの実施形態による、肘ガードのためのシールドインサートの平面図である。具体的には、図３０は、シールドインサート３００８の周囲に沿って配設された、タブ３０１４ａおよび３０１４ｂを示す。シールドインサート３００８は、肘ガード２２０２への挿入前の平らな状態で示されている。
【０１２６】
示されているように、シールドインサート３００８は、シールドインサート３００８の上部部分および下部部分においてシールドインサートの中心線に沿って配設された２つの追加のタブ３００２も備える。追加のタブ３００２は、肘ガード２２０２に対するシールドインサート３００８の保持および位置決めを助ける。少なくとも１つの実施形態では、追加のタブ３００２は、保護表面２２０６の縁の下で摺動するのに十分遠くに、シールドインサート３００８から離れて延びる。少なくとも１つの実施形態では、シールドインサート３００８は、追加のタブ３００２を欠いている。
【０１２７】
図３１は、いくつかの実施形態による、肘ガードのためのシールドインサートの側面平面図である。
【０１２８】
図３２は、実施形態による、足ガードのための別のシールドインサート４０８’および脛ガードのための別のシールドインサート１４１２’の平面図である。シールドインサート４０８’は、シールドインサート４０８（図１２）に類似しており、明快さのために、本明細書では違いのみが説明される。タブ４１４ａ／ｂおよび４３２ａ／ｂとは対照的に、タブ４１４ａ’／ｂ’および４３２ａ’／ｂ’は、平面図において異なる形状を有する。具体的には、タブ４１４ａ’／ｂ’および４３２ａ’／ｂ’の各々は、シールドインサート４０８’から離れて延びる下部縁上に切欠きをもつフック形状を有する。有利には、タブの縁上に切欠きを有することによって、タブが足ガード内に保持される能力が増加する。切欠きは、取り外しの困難さを増加させ、および／またはタブが保持器開口に引っ掛かる可能性を増加させるために、保持器４２６／４３０の開口の一部分と相互作用する。たとえば、いくつかの実施形態では、この構成は、シールドインサートが意図せずに足ガードから離れ落ちる可能性を減少させる。
【０１２９】
いくつかの実施形態では、切欠きは、タブの高さの距離の３分の１延びる。いくつかの実施形態では、切欠きは、タブの高さの距離の１０分の１延びる。いくつかの実施形態では、切欠きは、タブの高さの距離の２０分の１から２分の１の間、延びる。いくつかの実施形態では、切欠きは、タブの高さの距離の１０分の１から４分の３の間、延びる。いくつかの実施形態では、切欠きは、シールドインサート４０８’から離れて延びるタブの上部縁の上に位置決めされる。いくつかの実施形態では、タブ４１４ａ’／ｂ’は、下部縁の上に切欠きを有し、タブ４３２ａ’／ｂ’は、上部縁の上に切欠きを有する。いくつかの実施形態では、タブ４１４ａ’／ｂ’は、上部縁の上に切欠きを有し、タブ４３２ａ’／ｂ’は、下部縁の上に切欠きを有する。いくつかの実施形態では、タブ４１４ａ’／ｂ’の半分は、上部縁の上に切欠きを有し、半分は、下部縁の上に切欠きを有する。いくつかの実施形態では、タブ４３２ａ’／ｂ’の半分は、上部縁の上に切欠きを有し、半分は、下部縁の上に切欠きを有する。
【０１３０】
シールドインサート１４１２’は、シールドインサート１４１２（図２０）に類似しており、明快さのために、本明細書では違いのみが説明される。タブ１４２０とは対照的に、タブ１４２０’は、平面図において異なる形状を有する。具体的には、タブ１４２０’の各々は、シールドインサート１４１２’から離れて延びる下部縁上に切欠きをもつフック形状を有する。’有利には、タブの縁上に切欠きを有することによって、タブが足ガード内に保持される能力が増加する。切欠きは、取り外しの困難さを増加させ、および／またはタブが保持器開口に引っ掛かる可能性を増加させるために、保持器１４２４の開口の一部分と相互作用する。たとえば、いくつかの実施形態では、この構成は、シールドインサートが意図せずに脛ガードから離れ落ちる可能性を減少させる。
【０１３１】
いくつかの実施形態では、切欠きは、タブの高さの距離の３分の１延びる。いくつかの実施形態では、切欠きは、タブの高さの距離の１０分の１延びる。いくつかの実施形態では、切欠きは、タブの高さの距離の２０分の１から２分の１の間、延びる。いくつかの実施形態では、切欠きは、タブの高さの距離の１０分の１から４分の３の間、延びる。いくつかの実施形態では、切欠きは、シールドインサート１４１２’から離れて延びるタブの上部縁の上に位置決めされる。いくつかの実施形態では、タブ１４２０’は、下部縁の上に切欠きを有する。いくつかの実施形態では、タブ１４２０’は、上部縁の上に切欠きを有する。いくつかの実施形態では、タブ１４２０’の半分は、上部縁の上に切欠きを有し、半分は、下部縁の上に切欠きを有する。
【０１３２】
いくつかの実施形態では、タブ１４２０’のためのタブ構成は、ガード肘のためのシールドインサート３００８のタブ３０１４ａ／ｂにおいて使用可能である。
【０１３３】
本開示の交換可能な設計によって、選手が、保護具全体を置き換えることと比較して減少されたコストで、デザインプレート（インサート）を選手の好みに合った色および／またはデザインに交換することが可能になる。有利には、インサートは、ツールの使用なしで交換可能である。
【０１３４】
本開示の１つまたは複数の実施形態の脛ガード、足ガード、および肘ガードは、選手／ユーザが特定の色またはデザインのデザインプレートを取り外して、それを別の色またはデザインの別のデザインプレートと置き換えることを可能にする交換可能なデザインプレート（本明細書において、シールドインサートとも呼ばれる）を収容する。
【０１３５】
本開示による一実施形態では、選手の少なくとも一部分を保護するための選手保護デバイスは、選手の身体部位の少なくとも一部分を保護するように構成された保護表面と、この保護表面に取り外し可能に取り付けられるように構成されたシールドインサートであって、保護表面は、シールドインサートを受け入れ、シールドインサートをその上に保持するように構成される、シールドインサートとを備える。
【０１３６】
本開示による一実施形態では、選手保護デバイスのためのシールドインサートは、本体を有する。この本体は、本体の周囲に沿って互いに対向して配置されたタブの少なくとも１つのペアと、タブの少なくとも１つのペア本体の周囲に沿ってと直角をなして配置された少なくとも１つの補助タブとを備える。
【０１３７】
本開示による一実施形態では、選手保護デバイスを使用する方法は、選手の身体部位の少なくとも一部分を保護するように構成された保護表面と、この保護表面に取り外し可能に取り付けられたシールドインサートとを備える。保護表面は、シールドインサートを受け入れ、シールドインサートをその上に保持するように構成される。方法は、シールドインサートを保護表面から取り外すことと、保護表面上に別のシールドインサートを設置することとを含む。
【０１３８】
本明細書において使用されることがあるように、「実質的に」および「約」という用語は、その対応する用語および／または項目間の関連性に関する業界で認められた許容度を提供する。そのような業界で認められた許容度は、１パーセント未満から５０パーセントにわたり、限定するものではないが、構成要素の値、プロセス変動、温度変動、上下回数、および／または熱変動に対応する。そのような項目間の関連性は、数パーセントの差から大きさの差にわたる。同じく本明細書において使用され得るように、「動作可能に結合される」、「結合される」、および／または「結合する」という用語は、項目間の直接的結合および／または介在項目を介した項目間の間接的な結合（たとえば、項目は、限定するものではないが、構成要素、要素、回路、および／またはモジュールを含む）を含み、間接的な結合の場合、介在項目は、信号の情報を修正しないが、その電流レベル、電圧レベル、および／または電力レベルを調整することがある。さらに本明細書において使用され得るように、推定結合（inferred coupling）（すなわち、１つの要素が、推論によって別の要素に結合される）は、「結合される」と同じ様式で、２つの項目間の直接的な結合と間接的な結合とを含む。
【０１３９】
前述は、当業者が本開示の態様をより良く理解し得るように、いくつかの実施形態の特徴を概説する。当業者は、同じ目的を成し遂げるおよび／または本明細書において紹介される実施形態の同じ利点に使用を達成する他のプロセスおよび構造を設計または修正するための基礎として本開示を容易に使用し得ることを諒解するべきである。当業者は、同等の構造は、本開示の趣旨および範囲から逸脱せず、それらの構造は、本開示の趣旨および範囲から逸脱することなく、本明細書におけるさまざまな変更、置き換え、および改変を加え得ることも理解するべきである。
【図１】
2020501041.tif 000002
【図２】
2020501041.tif 000003
【図３】
2020501041.tif 000004
【図４】
2020501041.tif 000005
【図５】
2020501041.tif 000006
【図６】
2020501041.tif 000007
【図７】
2020501041.tif 000008
【図８】
2020501041.tif 000009
【図９】
2020501041.tif 000010
【図１０】
2020501041.tif 000011
【図１１】
2020501041.tif 000012
【図１２】
2020501041.tif 000013
【図１３】
2020501041.tif 000014
【図１４】
2020501041.tif 000015
【図１５】
2020501041.tif 000016
【図１６】
2020501041.tif 000017
【図１７】
2020501041.tif 000018
【図１８】
2020501041.tif 000019
【図１９】
2020501041.tif 000020
【図２０】
2020501041.tif 000021
【図２１】
2020501041.tif 000022
【図２２】
2020501041.tif 000023
【図２３】
2020501041.tif 000024
【図２４】
2020501041.tif 000025
【図２５】
2020501041.tif 000026
【図２６】
2020501041.tif 000027
【図２７】
2020501041.tif 000028
【図２８】
2020501041.tif 000029
【図２９】
2020501041.tif 000030
【図３０】
2020501041.tif 000031
【図３１】
2020501041.tif 000032
【図３２】
2020501041.tif 000033
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
選手の少なくとも一部分を保護するための選手保護デバイスであって、
前記選手の身体部位の少なくとも一部分を保護するように構成された保護表面であって、前記選手の前記身体部位の前記部分に保護表面を固着するように構成された機構を有する保護表面と、
前記保護表面に取り外し可能に取り付けられるように構成され、少なくとも１つのタブを有するシールドインサートと
を備え、
前記保護表面は、前記シールドインサートの前記少なくとも１つのタブを受け入れ、前記シールドインサートをその上に保持するように構成された少なくとも１つの受容部を有し、
前記シールドインサートは、前記機構が前記選手の前記身体部位の前記部分に前記保護表面を固着する状態で取り外し可能に取り付けられる／外されるように構成される。
【請求項２】
請求項１に記載の選手保護デバイスであって、前記シールドインサートは、ツールの使用なしに取り外し可能に取り付けられる／外されるように構成される。
【請求項３】
請求項１に記載の選手保護デバイスであって、前記シールドインサートの前記少なくとも１つのタブは、前記シールドインサートの周囲に沿って配置されている。
【請求項４】
請求項３に記載の選手保護デバイスであって、前記保護表面は、少なくとも４つの受容部を備える。
【請求項５】
請求項３に記載の選手保護デバイスであって、前記シールドインサートは、少なくとも４つのタブを備える。
【請求項６】
請求項１に記載の選手保護デバイスであって、前記シールドインサートは、少なくとも１つの弾性的に変形可能なタブを備え、
前記保護表面は、前記少なくとも１つの弾性的に変形可能なタブを受け入れるように構成された少なくとも１つの開口をその中に形成している。
【請求項７】
請求項６に記載の選手保護デバイスであって、前記少なくとも１つの弾性的に変形可能なタブは、２つの直線的に離隔された、対向する、弾性的に変形可能なタブであり、
前記保護表面の前記開口への前記２つの直線的に離隔された、対向する、弾性的に変形可能なタブの挿入中に、前記弾性的に変形可能なタブは、前記保護表面内に形成された前記開口の縁との接触によって互いの方へ付勢される。
【請求項８】
請求項１に記載の選手保護デバイスであって、前記シールドインサートは、
前記シールドインサートの周囲に沿った少なくとも１つのタブと、
前記シールドインサートの周囲に沿った少なくとも１つの弾性的に変形可能なタブと
を備え、
前記保護表面は、
前記少なくとも１つのタブを受け入れるように構成された少なくとも１つの受容部をその中に形成しており、
前記少なくとも１つの弾性的に変形可能なタブを受け入れるように構成された少なくとも１つの開口をその中に形成している。
【請求項９】
請求項８に記載の選手保護デバイスであって、前記シールドインサートは、少なくとも４つのタブと、少なくとも２つの弾性的に変形可能なタブとを備える。
【請求項１０】
請求項１に記載の選手保護デバイスであって、前記保護表面は、足ガード、脛ガード、または肘ガードのうちの少なくとも１つである。
【請求項１１】
請求項１に記載の選手保護デバイスであって、前記選手の身体部位の少なくとも別の部分を保護するように構成された二次保護表面であって、前記保護表面に着脱可能に固締された二次保護表面と、
前記二次保護表面に取り外し可能に取り付けられるように構成された二次シールドインサートであって、前記二次保護表面は、二次シールドインサートを受け入れ、二次シールドインサートをその上に保持するように構成される、二次シールドインサートと
をさらに備える。
【請求項１２】
請求項１１に記載の選手保護デバイスであって、前記シールドインサートは、前記シールドインサートの周囲に沿って、少なくとも１つのタブを備え、
前記二次シールドインサートは、前記二次シールドインサートの周囲に沿って、少なくとも１つの弾性的に変形可能なタブを備える。
【請求項１３】
請求項１２に記載の選手保護デバイスであって、タブの数は、弾性的に変形可能なタブの数と異なる。
【請求項１４】
請求項４に記載の選手保護デバイスであって、前記保護表面は、４つの受容部を備え、前記４つの受容部は、前記保護表面の対向する周囲縁に沿って、受容部の２つの対向するペアとして配置されている。
【請求項１５】
請求項５に記載の選手保護デバイスであって、前記シールドインサートは、４つのタブを備え、前記４つのタブは、前記シールドインサートの対向する周囲縁に沿って、タブの２つの対向するペアとして配置されている。
【請求項１６】
請求項１に記載の選手保護デバイスであって、前記保護表面は、断面が実質的にＵ字形である。
【請求項１７】
請求項１に記載の選手保護デバイスであって、前記保護表面は、断面が実質的に湾曲している。
【請求項１８】
選手保護デバイスのためのシールドインサートであって、シールドインサートは本体を有し、前記本体は、
前記本体の周囲に沿って、互いに対向して配置されているタブの少なくとも１つのペアと、
前記本体の周囲に沿った少なくとも１つの補助タブと
を備え、
前記少なくとも１つの補助タブの方位は、前記タブの少なくとも１つのペアの１つのタブの方位と直角をなして配置されている。
【請求項１９】
請求項１８に記載のシールドインサートであって、前記タブの少なくとも１つのペアは、タブの３つのペアであり、
前記少なくとも１つの補助タブは、少なくとも２つのタブである。
【請求項２０】
選手保護デバイスを使用する方法であって、前記選手保護デバイスは、選手の身体部位の少なくとも一部分を保護するように構成された保護表面と、前記保護表面に取り外し可能に取り付けられているシールドインサートであって、前記保護表面は、シールドインサートを受け入れ、シールドインサートをその上に保持するように構成される、シールドインサートとを備え、方法は、
少なくとも前記シールドインサートのタブを前記保護表面の対応する受容部から取り外すことによって、前記保護表面から前記シールドインサートを取り外すことと、
前記保護表面上に別のシールドインサートを設置することと
を含む。
【国際調査報告】
2020501041.tif 000034